(57)【要約】【課題】本発明は、光源装置及びこれを備えた表示装置を提供するためのものである。【解決手段】本発明に係る光源装置は、発光デバイスを含む発光モジュールと、上記発光モジュールの他端部に配置された回路終端モジュールと、上記発光モジュールの一端部及び他端部に連結された第１及び第２コネクタと、上記回路終端モジュールに連結され、上記発光モジュールの第２コネクタに接続される第４コネクタと、を含む。【選択図】図１
2010525523.tif 000002
【特許請求の範囲】
【請求項１】
発光デバイスを含む発光モジュールと、
前記発光モジュールの他端部に配置された回路終端モジュールと、
前記発光モジュールの一端部及び他端部に連結された第１及び第２コネクタと、
前記回路終端モジュールに連結され、前記発光モジュールの第２コネクタに接続される第４コネクタと、
を含むことを特徴とする光源装置。
【請求項２】
前記発光モジュールの一端部に配置された外部接続モジュールと、
前記外部接続モジュールの他端部に連結され、前記発光モジュールの第１コネクタに接続される第３コネクタと、
を含むことを特徴とする請求項１に記載の光源装置。
【請求項３】
前記第１及び第４コネクタは雌コネクタであり、
前記第２及び第３コネクタは雄コネクタを含むことを特徴とする請求項２に記載の光源装置。
【請求項４】
前記発光モジュール、回路終端モジュール、及び外部接続モジュールの端部には、各コネクタの固定ピンが電気的に連結される複数個のピン孔を含むことを特徴とする請求項２に記載の光源装置。
【請求項５】
前記第１乃至第４コネクタは、前記発光モジュール、回路終端モジュール、及び外部接続モジュールの背面端部に固定されることを特徴とする請求項２に記載の光源装置。
【請求項６】
前記回路終端モジュールは前記第４コネクタに連結され、前記発光モジュールの終端回路を閉ループまたは帰還ループに連結してくれるリードパターンを含むことを特徴とする請求項１に記載の光源装置。
【請求項７】
前記発光モジュール及び外部接続モジュールには、前記各コネクタに連結されたリードパターンを含むことを特徴とする請求項２に記載の光源装置。
【請求項８】
前記発光デバイスは、レッドＬＥＤチップ、グリーンＬＥＤチップ、ブルーＬＥＤチップ、イエローＬＥＤチップ、及びＵＶＬＥＤチップのち、少なくとも１つを含むことを特徴とする請求項１に記載の光源装置。
【請求項９】
前記発光モジュールは、複数個が横方向及び／または縦方向に配置され、
前記複数個の発光モジュールの間は前記第１及び第２コネクタにより互いに接続されることを特徴とする請求項２に記載の光源装置。
【請求項１０】
前記複数個の発光モジュールは、少なくとも２列以上に配置され、
前記外部接続モジュールは単一個で、前記列で発光モジュールの一端部に接続されることを特徴とする請求項９に記載の光源装置。
【請求項１１】
前記回路終端モジュールは少なくとも１つを含み、少なくとも１列の発光モジュールの他端部に接続されることを特徴とする請求項９に記載の光源装置。
【請求項１２】
発光デバイスを含む発光モジュールが複数列で配置された発光モジュールアレイと、
前記発光モジュールアレイの他端部に配置された回路終端モジュールと、
前記発光モジュールの両端部に連結され、前記各列の発光モジュールの間を接続させる第１及び第２コネクタと、
前記回路終端モジュールに連結され、前記各列の終端側の前記発光モジュールの第２コネクタに接続される複数個の第４コネクタと、
を含むことを特徴とする光源装置。
【請求項１３】
前記発光モジュールアレイの一端部に配置された外部接続モジュールと、
前記外部接続モジュールの他端部に連結され、前記各列の始端側の前記発光モジュールの第１コネクタに各々接続される複数個の第３コネクタと、
を含むことを特徴とする請求項１２に記載の光源装置。
【請求項１４】
前記第１乃至第４コネクタは各モジュールの背面に配置され、互いに対応する雌コネクタまたは雄コネクタからなることを特徴とする請求項１３に記載の光源装置。
【請求項１５】
前記外部接続モジュールの一端部には、前記第３コネクタと連結され、デバイスドライバーに連結される第５コネクタを含むことを特徴とする請求項１３に記載の光源装置。
【請求項１６】
前記回路終端モジュールは、複数個の第４コネクタの端子間を互いに連結させる共通リードパターンを含むことを特徴とする請求項１２に記載の光源装置。
【請求項１７】
発光デバイスを含む複数個の発光モジュールと、
前記複数個の発光モジュールの下に配置されたボトムカバーと、
前記複数個の発光モジュールの一端部に配置された外部接続モジュールと、
前記複数個の発光モジュールの他端部に配置された回路終端モジュールと、
前記発光モジュールの一端部及び他端部に電気的に連結され、前記発光モジュールの間を互いに接続させる第１及び第２コネクタと、
前記回路終端モジュールに連結され、終端側の前記発光モジュールに配置された第２コネクタに接続される第４コネクタと、
を含むことを特徴とする表示装置。
【請求項１８】
前記複数個の発光モジュールの一端部に配置された外部接続モジュールと、
前記外部接続モジュールの他端部に連結され、始端側の前記発光モジュールに配置された第１コネクタに接続される第３コネクタと、
を含むことを特徴とする請求項１７に記載の表示装置。
【請求項１９】
前記発光モジュールの上に配置された光学シートと、
前記光学シートの上に配置された表示パネルと、
を含むことを特徴とする請求項１７に記載の表示装置。
【請求項２０】
前記第１乃至第４コネクタは、各モジュールの背面に配置され、
前記ボトムカバーには前記各モジュールの背面に配置されたコネクタを各々受納するコネクタ孔を含むことを特徴とする請求項１８に記載の表示装置。
【発明の詳細な説明】
【技術分野】
【０００１】
本発明は、光源装置及びそれを備えた表示装置に関するものである。
【背景技術】
【０００２】
表示装置は、ＣＲＴ（Cathode Ray Tube）、電気光学的な効果を用いた液晶表示装置（Liquid Crystal Display：ＬＣＤ）、ガス放電を用いたプラズマ表示素子（Plasma Display Panel：ＰＤＰ）及び電界発光効果を用いたＥＬ表示素子（Electro Luminescence Display：ＥＬＤ）などがあり、そのうち、液晶表示装置に対する研究が活発に進行されている。
【０００３】
上記液晶表示装置は、小型化、軽量化、低消費電力化、フルカラー化（full color）などの長所のため、ＣＲＴ（cathode ray tube）の短所が克服できるので、その使用領域が徐々に拡大されている。
【０００４】
かかる液晶表示装置（ＬＣＤ）は、外部から入る光量を調節して画像を表示する受光性装置であるので、バックライトユニットのような別途の外部光源を必要とする。
【発明の概要】
【発明が解決しようとする課題】
【０００５】
本発明の目的は、発光モジュールをコネクタで接続させることができるようにした光源装置及びこれを備えた表示装置を提供することにある。
【０００６】
本発明の他の目的は、発光モジュールと回路終端モジュールとをコネクタで接続させることができるようにした光源装置及びこれを備えた表示装置を提供することにある。
【０００７】
本発明の他の目的は、発光モジュールと外部接続モジュールとをコネクタで接続させることができるようにした光源装置及びこれを備えた表示装置を提供することにある。
【０００８】
本発明の他の目的は、複数個の列からなる発光モジュールアレイに１つの回路終端モジュールを接続させることができるようにした光源装置及びこれを備えた表示装置を提供することにある。
【０００９】
本発明の他の目的は、複数個の列からなる発光モジュールアレイに１つの外部接続モジュールを接続させることができるようにした光源装置及びこれを備えた表示装置を提供することにある。
【００１０】
本発明の他の目的は、発光モジュールと回路終端モジュール及び外部接続モジュールとの間をコネクタで接続させることができる光源装置及びこれを備えた表示装置を提供することにある。
【課題を解決するための手段】
【００１１】
本発明に係る光源装置は、発光デバイスを含む発光モジュールと、上記発光モジュールの他端部に配置された回路終端モジュールと、上記発光モジュールの一端部及び他端部に連結された第１及び第２コネクタと、上記回路終端モジュールに連結され、上記発光モジュールの第２コネクタに接続される第４コネクタと、を含む。
【００１２】
本発明に係る光源装置は、発光デバイスを含む発光モジュールが複数列で配置された発光モジュールアレイと、上記発光モジュールアレイの他端部に配置された回路終端モジュールと、上記発光モジュールの両端部に連結され、上記各列の発光モジュールの間を接続させる第１及び第２コネクタと、上記回路終端モジュールに連結され、上記各列の終端側の上記発光モジュールの第２コネクタに接続される複数個の第４コネクタと、を含む。
【００１３】
本発明に係る表示装置は、発光デバイスを含む複数個の発光モジュールと、上記複数個の発光モジュールの下に配置されたボトムカバーと、上記複数個の発光モジュールの一端部に配置された外部接続モジュールと、上記複数個の発光モジュールの他端部に配置された回路終端モジュールと、上記発光モジュールの一端部及び他端部に電気的に連結され、上記発光モジュールの間を互いに接続させる第１及び第２コネクタと、上記回路終端モジュールに連結され、終端側の上記発光モジュールに配置された第２コネクタに接続される第４コネクタと、を含む。
【発明の効果】
【００１４】
本発明によると、光源装置の各モジュールをコネクタタイプで連結してくれることによって、モジュールの間を安定的に連結させることができる。
【００１５】
本発明によると、発光モジュールの背面にコネクタを配置することで、発光モジュールの上の拡張や空間利用が便利である。
【００１６】
本発明によると、モジュールの間をフック構造のコネクタで接続させることによって、モジュール間の結合力を改善し、振動や衝撃に強いという効果がある。
【００１７】
本発明によると、少なくとも１列の発光モジュールと回路終端モジュールとをコネクタで接続させることによって、他端の発光モジュールに別途のパターンを形成しなくてもよいという効果がある。
【００１８】
本発明によると、少なくとも１列の発光モジュールと外部接続モジュールとをコネクタで接続させることによって、一端の発光モジュールに別途のパターンを形成しなくてもよいという効果がある。
【００１９】
本発明によると、発光モジュールの両側に補助モジュールを提供することで、同一な種類の発光モジュールが利用できるので、発光モジュールの製造が便利であるという効果がある。
【００２０】
本発明によると、発光モジュールの取替が容易である。
【図面の簡単な説明】
【００２１】
【図１】実施の形態に係る発光モジュールの側面図である。
【図２】図１の平面図である。
【図３】図１の発光モジュールを適用した光源装置の第１の実施の形態を示す側面図である。
【図４】図３の平面図である。
【図５】図１の発光モジュールを適用した光源装置の第２の実施の形態を示す平面図である。
【図６】図５の側面図である。
【図７】図５の背面図である。
【図８】実施の形態に係る外部接続モジュールの背面図である。
【図９】実施の形態に係る第１コネクタと第２コネクタの接続状態を示す断面図である。
【図１０】図７の光源装置を変形した例を示す図である。
【図１１】図７の光源装置を変形した例を示す図である。
【図１２】図７の光源装置を変形した例を示す図である。
【図１３】図７の光源装置を変形した例を示す図である。
【図１４】図７の光源装置を適用した表示装置を示す断面図である。
【発明を実施するための形態】
【００２２】
以下、本発明の実施の形態に対し、添付された図面を参照しつつ説明すれば次の通りである。
【００２３】
図１は実施の形態に係る光源装置を示す側面図であり、図２は図１の平面図である。
【００２４】
図１及び図２を参照すると、発光モジュール１０１は、基板１１０及び発光デバイス１２０を含む。基板１１０は、例えば、ＦＲ−４またはＣＥＭ−３（ＣＥＭ：Composite Epoxy Materials Grade 3）などのレジン（resin）系列やセラミック（ceramic）系列の材質を用いて単層または多層基板で具現されることができる。
【００２５】
基板１１０には、図２に示すように、ねじ締結孔１１６及びガイド孔１１５が形成されることができる。
【００２６】
ねじ締結孔１１６は、ねじで基板１１０を固定させることができる。ガイド孔１１５には、発光モジュール１０１との間隔を維持するためのガイド突起（図示せず）が挿入されることができる。基板１１０には、ねじ締結孔１１６やガイド孔１１５は形成しないこともできるが、このような構造に限定するのではない。
【００２７】
基板１１０の両端部にはピン孔１１２、１１３が形成される。ピン孔１１２、１１３は、ビアホールまたはスルーホール形態で形成されることができ、発光デバイス１２０のチップ配線と連結される。例えば、１つのＬＥＤチップは２つの電極端子を必要とし、３種類のＬＥＤチップは６個の電極端子が必要とされる。ピン孔１１２、１１３は、３種類のＬＥＤチップの電極端子に対応する個数で形成されることができる。このようなピン孔１１２、１１３の個数はＬＥＤチップの種類や駆動方式によって変更されることができる。
【００２８】
基板１１０のピン孔１１２、１１３には、コネクタ１３０、１４０のピン１３３、１４３が対応される。コネクタ１３０、１４０は、基板１１０の下部からピン１３３、１４３へピン孔１１２、１１３に挿入されることによって、コネクタ１３０、１４０と基板１１０の配線パターンは電気的に連結される。即ち、基板１１０の第１ピン孔１１２には第１コネクタ１３０のピン１３３が連結され、基板１１０の第２ピン孔１１３には第２コネクタ１４０のピン１４３が連結されることができる。
【００２９】
発光デバイス１２０は、図２に示すように、少なくとも１つのＬＥＤチップを含む。上記ＬＥＤチップは、レッドＬＥＤチップ、グリーンＬＥＤチップ、ブルーＬＥＤチップ、イエローＬＥＤチップ、及びＵＶＬＥＤチップのうち、少なくとも１つを含む。本実施の形態の発光デバイスには３種類のＬＥＤチップ１２２、１２３、１２４、例えば、レッドＬＥＤチップ、グリーンＬＥＤチップ、及びブルーＬＥＤチップがクラスター形態で搭載される。このような発光デバイス１２０のＬＥＤチップの種類や個数は変更されることができる。
【００３０】
また、発光デバイス１２０は、多様なカラーのＬＥＤチップ１２２、１２３、１２４と蛍光体を選択的に組合せて利用することもできる。以下、発光デバイス１２０は互いに異なるカラー（Red、Green、Blue）のＬＥＤチップ１２２、１２３、１２４を含んだ構造として説明することにする。
【００３１】
このような発光デバイス１２０は、基板１１０の上に１列または２列で配置されることができ、２列で配置される場合、互いにジグザグで配置されることができる。
【００３２】
第１及び第２コネクタ１３０、１４０は、発光モジュール１０１の両端に搭載され、他のモジュールとコネクタタイプで接続できるので、モジュール間の接続構造を簡便に提供することができる。また、発光モジュール１０１の下部に第１及び第２コネクタ１３０、１４０を配置することで、基板１１０の上の空間を確保することができる。
【００３３】
図３は図１の発光モジュールを適用した光源装置の第１の実施の形態を示す側面図であり、図４は図３の平面図である。
【００３４】
図３及び図４を参照すると、光源装置１００は、発光モジュール１０１、外部接続モジュール１５０、回路終端モジュール１６０、そして、第１コネクタ１３０、第２コネクタ１４０、及び第３乃至第５コネクタ１５１、１６１、１５５を含む。
【００３５】
発光モジュール１０１の一側には外部接続モジュール１５０が配置され、他側には回路終端モジュール１６０が配置される。
【００３６】
外部接続モジュール１５０の他端部には複数個のピン孔１５２が形成され、ピン孔１５２には第３コネクタ１５１のピンが挿入される。外部接続モジュール１５０の第３コネクタ１５１は、発光モジュール１０１の第１コネクタ１３０と対応され、雌／雄コネクタ方式により接続される。外部接続モジュール１５０の一端部には第５コネクタ１５５が接続され、第５コネクタ１５５はドライバー（図示せず）と連結される。
【００３７】
回路終端モジュール１６０の一端部にはピン孔１６２が形成され、ピン孔１６２には第４コネクタ１６１のピンが挿入される。回路終端モジュール１６０の第４コネクタ１６１は、発光モジュール１０１の第２コネクタ１４０と対応され、雌／雄コネクタ方式により接続される。
【００３８】
第１乃至第４コネクタ１３０、１４０、１５１、１６１は、発光モジュール１０１、外部接続モジュール１５０、及び回路終端モジュール１６０の下部に搭載される。
【００３９】
このような第１及び第４コネクタ１３０、１６１は、雌コネクタまたは雌ソケットで、同一な構造物であり、第２及び第３コネクタ１４０、１５１は雄コネクタまたは雄ソケットで、同一な構造物である。また、第１及び第４コネクタ１３０、１６１は、第２及び第３コネクタ１４０、１５１と互いに対応する雌／雄接続構造で形成されることができる。第１乃至第４コネクタ１３０、１４０、１５１、１６１は、ピンタイプで、各モジュール１０１、１５０、１６０に接続され、コネクタタイプで他のモジュールと接続させる。
【００４０】
発光モジュール１０１の第１コネクタ１３０は、外部接続モジュール１５０の第３コネクタ１５１と接続され、発光モジュール１０１の第２コネクタ１４０は回路終端モジュール１６０の第４コネクタ１６１と接続される。
【００４１】
これによって、外部接続モジュール１５０に印加される電流は、発光モジュール１０１のＬＥＤチップ１２２、１２３、１２４を駆動させ、回路終端モジュール１６０を通して回路的に連結されて発光モジュール１０１の逆経路に沿って外部接続モジュール１５０に流れるようになる。このような方式により発光モジュール１０１に搭載された発光デバイス１２０のカラー別ＬＥＤチップ１２２、１２３、１２４を各々制御できるようになる。
【００４２】
図５は図１の発光モジュールを適用した光源装置の第２の実施の形態を示す平面図であり、図６は図５の側面図である。
【００４３】
図５及び図６を参照すると、光源装置１００Ａは複数の発光モジュール１０１、１０２、１０３、外部接続モジュール１５０、回路終端モジュール１６０、第１乃至第４コネクタ１３０、１４０、１５１、１６１、及び第５コネクタ１５５を含む。
【００４４】
複数個の発光モジュール１０１、１０２、１０３は、一方向にアレイされて配置される。このような発光モジュール１０１、１０２、１０３の間は、第１コネクタ１３０及び第２コネクタ１４０により接続される。即ち、第１発光モジュール１０１の第２コネクタ１４０は、第２発光モジュール１０２の第１コネクタ１３０と接続され、第２発光モジュール１０２の第２コネクタ１４０は、第３発光モジュール１０３の第１コネクタ１３０と接続される。このような複数個の発光モジュール１０１、１０２、１０３は、コネクタ１３０、１４０により横方向または／及び縦方向に直列または並列で連結されることができる。
【００４５】
外部接続モジュール１５０の第３コネクタ１５１は、始端側の第１発光モジュール１０１の第１コネクタ１３０と接続され、第５コネクタ１５５はドライバー（図示せず）に連結されることができる。
【００４６】
回路終端モジュール１６０は、第４コネクタ１６１が終端側の第３発光モジュール１０３の第２コネクタ１４０と接続され、閉ループまたは帰還ループを提供する。
【００４７】
ここで、発光モジュール１０１、１０２、１０３、外部接続モジュール１５０、及び回路終端モジュール１６０が互いにコネクタ方式により接続されることで、モジュール間の接続が便利で、発光モジュール１０１、１０２、１０３に対する取替が便利な効果がある。
【００４８】
本実施の形態は、発光モジュールアレイの両端には外部発光モジュール１５０及び回路終端モジュール１６０を電気的に接続させることによって、同一な配線パターンを持つ発光モジュール１０１、１０２、１０３の製造を可能にする。
【００４９】
また、第１乃至第４コネクタ１３０、１４０は、雌コネクタと雄コネクタタイプで相互接続されることで、安定的に連結されることができる。
【００５０】
図７は、図５の背面図である。
【００５１】
図７を参照すると、発光モジュール１０１、１０２、１０３、外部接続モジュール１５０、及び回路終端モジュール１６０の背面には上記ピン孔と連結されるリードパターン１１８、１５３、１６３が各々形成されることができる。リードパターン１１８、１５３、１６３は、各コネクタ１３０、１４０、１５１、１６１との電気的な接続を改善する。
【００５２】
ここで、外部接続モジュール１５０のリードパターン１５３は、第３コネクタ１５１及び第５コネクタ１５５の間を連結してくれることもできる。
【００５３】
回路終端モジュール１６０のリードパターン１６３は、閉ループまたは帰還ループパターンで機能し、第４コネクタ１６１の同一ピンを直列で連結してくれる。
【００５４】
図８は、実施の形態に係る外部接続モジュールの背面図である。
【００５５】
図８を参照すると、回路終端モジュール１６０のリードパターン１６３（１６３Ａ、１６３Ｂ、１６３Ｃ）にはピン孔１６２が形成され、ピン孔１６２には第４コネクタのピンが挿入される。
【００５６】
リードパターン１６３（１６３Ａ、１６３Ｂ、１６３Ｃ）は閉ループまたは帰還ループパターンであって、第１リードパターン１６３ＡはレッドＬＥＤチップの端子Ｒ１、Ｒ２を直列で連結させ、第２リードパターン１６３ＢはグリーンＬＥＤチップの端子Ｇ１、Ｇ２を直列で連結させ、第３リードパターン１６３ＣはブルーＬＥＤチップの端子Ｂ１、Ｂ２を直列で連結させる。ここで、端子Ｒ１、Ｇ１、Ｂ１は３種類のＬＥＤチップの正端子または負端子となり、端子Ｒ２、Ｇ２、Ｂ２は上記ＬＥＤチップの端子Ｒ１、Ｇ１、Ｂ１に直列で連結され、逆経路にフィードバックされる。
【００５７】
このような回路終端モジュール１６０のリードパターン１６３には外部コネクタが配置されることもできるが、この場合、ケーブルを通して上記ドライバーに連結させなければならないという不便がある。
【００５８】
図９は、実施の形態に係る第１コネクタと第２コネクタとの接続状態を示す断面図である。ここで、後述する第１コネクタ１３０は、上記の第４コネクタと同一な構造であり、第２コネクタ１４０は第３コネクタと同一な構造であって、第３及び第４コネクタの構造は第２及び第１コネクタを参照し、これに対する具体的な説明は省略する。
【００５９】
図９を参照すると、第１コネクタ１３０は雌コネクタまたは雌ソケット構造であり、第２コネクタ１４０は雄コネクタまたは雄ソケット構造である。
【００６０】
第１コネクタ１３０のボディー１３１には水平方向に雌端子部１３２が突出し、雌端子部１３２の内部には端子接続片１３４が形成される。端子接続片１３４は、固定ピン１３３の一端が連結され、固定ピン１３３の他端１３８は発光モジュール１０２のピン孔１１２に貫通される。
【００６１】
第２コネクタ１４０のボディー１４１には雄端子部１４２が形成され、雄端子部１４２の内側には第１コネクタ１３０の雌端子部１３２が挿入される。雄端子部１４２の中心には固定ピン１４３の接続端子１４４が突出し、接続端子１４４は第１コネクタ１３０の端子接続片１３４に接続される。これによって、第１コネクタ１３０と第２コネクタ１４０は電気的に連結される。
【００６２】
ここで、第２コネクタ１４０の固定ピン１４３の他端１４８は折り曲げられ、発光モジュール１０１のピン孔１１３に貫通される。
【００６３】
発光モジュール１０１、１０２のピン孔１１２、１１３に貫通された固定ピン１３３、１４３の他端１３８、１４８は表面実装技術（ＳＭＴ）でボンディングできる。
【００６４】
第１及び第２コネクタ１３０、１４０のボディー１３１、１４１にはフック１３５及びフック溝１４５が形成され、フック１３５及びフック溝１４５はロッキング構造で結合される。このようなロッキング構造のコネクタ結合は、外部振動や衝撃テストに強いという効果がある。
【００６５】
図１０乃至図１３は、図７の光源装置を変形した例を示す図である。
【００６６】
図１０を参照すると、光源装置１００Ｂは個別光源装置１００Ａを３列で配列した構造を含む。上記複数個の発光モジュール１０１、１０２、１０３の一端部には外部接続モジュール１５０が接続され、他端部には回路終端モジュール１６０が各々接続される。
【００６７】
図１１を参照すると、光源装置１００Ｃは２列の発光モジュール１０１、１０２、１０３が直列でアレイされ、上記発光モジュールアレイの両端部に単一個の外部接続モジュール１５０Ａ及び回路終端モジュール１６０Ａを接続させた構造である。
【００６８】
外部接続モジュール１５０Ａには複数個の第３コネクタ１５１及び単一個の第５コネクタ１５５を含む。複数個の第３コネクタ１５１は２列の第１発光モジュール１０１の第１コネクタ１３０と各々接続される。
【００６９】
回路終端モジュール１６０Ａには複数個の第４コネクタ１６１及び共通リードパターン１６４を含む。上記複数個の第４コネクタ１６１は第３発光モジュール１０３の第２コネクタ１４０と接続され、共通リードパターン１６４は第４コネクタ１６１に閉ループまたは帰還ループ回路を提供する。
【００７０】
ここで、回路終端モジュール１６０Ａの共通リードパターン１６４は、複数個の第４コネクタ１３０に共通に連結してくれる回路パターンを提供することができる。このような回路終端モジュール１６０Ａを通して２列の発光モジュールアレイを互いに直列で連結することができる回路パターンを提供する。
【００７１】
図１２を参照すると、光源装置１００Ｄは３列でアレイされた複数個の発光モジュール１０１、１０２、１０３、外部接続モジュール１５０Ｂ、及び回路終端モジュール１６０Ｂを含む。単一個の外部接続モジュール１５０Ｂは３列でアレイされた第１発光モジュール１０１の一端部に連結され、回路終端モジュール１６０Ｂは３列でアレイされた第３発光モジュール１０３の他端部に連結される。
【００７２】
図１３を参照すると、光源装置１００Ｅは４列でアレイされた複数個の発光モジュール１０１、１０２、１０３、外部接続モジュール１５０Ｃ、及び回路終端モジュール１６０Ｃを含む。単一個の外部接続モジュール１５０Ｃは４列でアレイされた第１発光モジュール１０１の一端部に連結され、回路終端モジュール１６０Ｃは４列でアレイされた第３発光モジュール１０３の他端部に連結される。ここで、上記発光モジュールアレイは複数個の発光モジュールが横方向または縦方向に連結され、少なくとも１列のアレイ構造を含む。
【００７３】
このような図１１乃至図１３に基づいて、Ｎ個の列でアレイされたＭ個の発光モジュールは、その両端部に単一個の外部接続モジュール及び回路終端モジュールを各々接続させることによって、簡単な接続モジュールを用いて全体光源装置の製造を便利にすることができる。
【００７４】
図１４は、本発明に係る光源装置が適用された表示装置を示す断面図である。このような表示装置には、図１０乃至図１３の光源装置のうち、どれか１つの装置を利用または拡張することができ、発光モジュールの横及び列の個数に対して限定するのではない。
【００７５】
図１４を参照すると、表示装置２００はバックライトユニット２３０及び表示パネル２４０を含む。
【００７６】
バックライトユニット２３０は、光源装置１００Ｆ、ボトムカバー２１０、及び光学シート２２０を含む。光源装置１００Ｆは、複数の発光モジュール１０１、１０２、１０３がアレイ形態で、１列以上に配置された構造を含む。
【００７７】
ボトムカバー２１０は、容器形状の金属で形成され、内部２１２に光源装置１００Ｆが受納され、内部側面２１１は光反射のために傾斜して形成される。このようなボトムカバー２１０の形状や材質は変更されることができる。
【００７８】
ボトムカバー２１０のベース２１３には複数のコネクタ孔２１４が形成されており、コネクタ孔２１４を通して、発光モジュール１０１、１０２、１０３、外部接続モジュール１５０、及び回路終端モジュール１６０の第１乃至第５コネクタ１３０、１４０、１５１、１６１、１５５が受納できる。
【００７９】
コネクタ孔２１４にコネクタ１３０、１４０、１５１、１６１、１５５が挿入されることによって、ボトムカバー２１０内での光源装置１００Ｆの高さを低めることができる。また、コネクタ孔２１４を通して発光モジュール１０１、１０２、１０３から発生した熱を放熱させることができる。
【００８０】
また、ボトムカバー２１０の一側及び他側にはモジュール収納溝２１６、２１７が形成され、モジュール収納溝２１６、２１７には外部接続モジュール１５０及び回路終端モジュール１６０の一部または全体が受納できる。
【００８１】
そして、発光モジュール１０１、１０２、１０３には、図２に示すように、ねじ孔を通してねじによりボトムカバー２１０に締結できる。
【００８２】
外部接続モジュール１５０の第５コネクタ１５５にはＬＥＤドライバー２５０が連結されることによって、光源装置１００Ｆの発光デバイス１２０のＬＥＤチップをカラー別モードまたは全体モードで駆動させることができる。
【００８３】
光源装置１００Ｆの上には光学シート２２０が配置され、光学シート２２０は拡散シート、プリズムシートのうち、少なくとも一枚を含むことができる。拡散シート２２０は入射される光を拡散させ、プリズムシートは入射される光を表示領域に集光させる。また、光学シート２２０には照度強化フィルムがさらに含まれることができる。
【００８４】
光源装置１００Ｆの基板１１０の上には反射プレート（図示せず）が配置されることができ、上記反射プレート（図示せず）には複数のデバイス孔が形成されているので、上記デバイス孔を通して発光デバイス１２０が挿入・突出される。これによって、モジュール１０１、１０２、１０３の発光デバイス１２０から発生した光は表示パネル方向に照射され、反射された光は反射プレートにより再反射される。
【００８５】
表示パネル２４０は液晶パネルであって、２つの透明な基板（図示せず）と液晶（図示せず）を含み、透過される光と液晶駆動により情報を表示することができる。このような表示パネル２４０に対しては限定せず、変更されることができる。
【００８６】
このような表示装置２００は、コネクタタイプで複数個の発光モジュール１０１、１０２、１０３を１列以上に配置することで、第１乃至第４コネクタ１３０、１４０を用いた結合が便利であり、外部衝撃に強くて、放熱が優れるし、ドライバーを用いた発光デバイスの駆動制御が簡便であるという効果がある。
【００８７】
このようなバックライトユニット２３０は、携帯端末機、モニター、放送受信装置、指示用、照明用に適用されることができる。
【００８８】
以上、本発明に対して実施の形態を中心として説明したが、これは単に例示であり、本発明を限定するのでないことを理解しなければならない。本発明が属する分野の通常の知識を有する者であれば、本発明の範囲および精神から逸脱することなく、以上に例示していない種々の変形と応用が可能であることが分かるであろう。
【産業上の利用可能性】
【００８９】
本発明によると、光源装置の各モジュールをコネクタタイプで連結してくれることによって、モジュールの間を安定的に連結させることができる。
【００９０】
本発明によると、発光モジュールの背面にコネクタを配置することで、発光モジュールの上の拡張や空間利用が便利である。
【００９１】
本発明によると、モジュールの間をフック構造のコネクタで接続させることによって、モジュール間の結合力を改善し、振動や衝撃に強いという効果がある。
【００９２】
本発明によると、少なくとも１列の発光モジュールと回路終端モジュールとをコネクタで接続させることによって、他端の発光モジュールに別途のパターンを形成しなくてもよいという効果がある。
【００９３】
本発明によると、少なくとも１列の発光モジュールと外部接続モジュールとをコネクタで接続させることによって、一端の発光モジュールに別途のパターンを形成しなくてもよいという効果がある。
【００９４】
本発明によると、発光モジュールの両側に補助モジュールを提供することで、同一な種類の発光モジュールが利用できるので、発光モジュールの製造が便利であるという効果がある。
【００９５】
本発明によると、発光モジュールの取替が容易である。
【図１】
2010525523.tif 000003
【図２】
2010525523.tif 000004
【図３】
2010525523.tif 000005
【図４】
2010525523.tif 000006
【図５】
2010525523.tif 000007
【図６】
2010525523.tif 000008
【図７】
2010525523.tif 000009
【図８】
2010525523.tif 000010
【図９】
2010525523.tif 000011
【図１０】
2010525523.tif 000012
【図１１】
2010525523.tif 000013
【図１２】
2010525523.tif 000014
【図１３】
2010525523.tif 000015
【図１４】
2010525523.tif 000016
【国際調査報告】
2010525523.tif 000017
2010525523.tif 000018